(57)【要約】【課題】  屋外で使用していた脚立等を、屋内で使用する場合に、端具の汚れを落とさなくても使用できるよう考慮する。【解決手段】  脚立１、はしご、作業台等を構成する部材である支柱３の端部に設けられる端具８を複数備え、これら端具８を、支柱３の端部に位置する使用位置にある端具８と、非使用位置にある端具８とが入れ替わるように、支柱３に切替自在に支持する。【選択図】図１
2006028933.tif 000002
【特許請求の範囲】
【請求項１】
脚立（１）、はしご、作業台等を構成する部材である支柱（３）の端部に設けられる端具（８）を複数備え、これら端具（８）を、支柱（３）の端部に位置する使用位置にある端具（８）と、非使用位置にある端具（８）とが入れ替わるように、支柱（３）に切替自在に支持したことを特徴とする支柱の端具装置。
【請求項２】
支柱（３）の端部側に回動自在で且つ支柱（３）の長手方向に移動自在に設けたブラケット（１０）に、前記各端具（８）を取り付ける端具支持部（１５）を設け、ブラケット（１０）の回動動作により各端具（８）を使用位置と非使用位置とに切替可能とすると共に使用位置に位置する端具（８）の端具支持部（１５）が支柱（３）の端面に接当するようにブラケット（１０）を付勢する付勢部材（２７）を備え、ブラケット（１０）を回動させて使用位置の端具（８）と非使用位置の端具（８）とを入れ替える際に、前記付勢部材（２７）の付勢力によって端具（８）が自動的に使用位置にセットされるように構成されていることを特徴とする請求項１に記載の支柱の端具装置。
【請求項３】
支柱（３）の端部側に、該支柱（３）の長手方向に直交する方向の軸心回りに回動自在で且つ支柱（３）の長手方向に移動自在なブラケット（１０）を支持し、このブラケット（１０）に設けられた複数の端具支持部（１５）の各々に端具（８）を取り付け、支柱（３）とブラケット（１０）との間に、使用位置に位置する端具（８）の端具支持部（１５）が支柱（３）の端面に接当するようにブラケット（１０）を付勢する付勢部材（２７）を設け、使用位置の端具（８）の端具支持部（１５）が支柱（３）の端面から離反するように付勢部材（２７）の付勢力に抗してブラケット（１０）を支柱長手方向に移動させ、さらにブラケット（１０）を回動させることにより、使用位置の端具（８）と非使用位置の端具（８）とが入れ替わるように構成されていることを特徴とする請求項１に記載の支柱の端具装置。
【請求項４】
前記ブラケット（１０）に、支柱（３）に設けられた被係合部（２５，３ｅ）に係脱自在に係合して各端具（８）を使用位置に位置決めする係合部（３３）を設け、この係合部（３３）が被係合部（２５，３ｅ）に対して係脱する方向とブラケット（１０）の移動方向とを一致させて、前記付勢部材（２７）によって係合部（３３）が被係合部（２５，３ｅ）に係合する方向に付勢されるように構成されていることを特徴とする請求項２又は３に記載の支柱の端具装置。
【請求項５】
ブラケット（１０）は、支柱（３）の外面に配置されていて該支柱（３）に回動自在で且つ支柱長手方向移動自在に支持される取付壁（１４）を備え、前記係合部（３３）はこの取付壁（１４）の縁部に形成された溝からなることを特徴とする請求項４に記載の支柱の端具装置。
【請求項６】
ブラケット（１０）の各端具支持部（１５）に係合部（３３）を設け、使用位置に位置する端具（８）の端具支持部（１５）の係合部（３３）を支柱（３）の端部側（３ｅ）に内嵌させることにより、ブラケット（１０）の回動を規制するように構成されていることを特徴とする請求項２〜４のいずれかに記載の支柱の端具装置。
【請求項７】
１の端具（８）に対して、他の端具（８）の材質、色、形状又は接地面積を異ならせていることを特徴とする請求項１〜６のいずれかに記載の支柱の端具装置。
【発明の詳細な説明】
【技術分野】
【０００１】
本発明は、脚立、はしご、作業台、踏み台、足場脚立等を構成する部材である支柱の端部に設けられる端具装置に関するものである。
【背景技術】
【０００２】
従来、脚立等を構成する支柱の下端に設けられる端具は、一般的にゴム等から形成されていて支柱の端部に嵌合固定されている（特許文献１参照）。
【特許文献１】特開平２００２−８８８０９号公報
【発明の開示】
【発明が解決しようとする課題】
【０００３】
例えば、屋外で使用していた脚立、はしご等を屋内で使用する場合、端具の接地面が汚れていると、屋内の床又は壁等を汚すので、端具の汚れを落としてから使用しなければならないが、該端具の汚れを落とす作業は面倒で煩雑である。
そこで、本発明は、前記問題点を解決することを目的とする。
【課題を解決するための手段】
【０００４】
この技術的課題を解決するための本発明の技術的手段は、脚立、はしご、作業台等を構成する部材である支柱の端部に設けられる端具を複数備え、これら端具を、支柱の端部に位置する使用位置にある端具と、非使用位置にある端具とが入れ替わるように、支柱に切替自在に支持したことを特徴とする。
また、支柱の端部側に回動自在で且つ支柱の長手方向に移動自在に設けたブラケットに、前記各端具を取り付ける端具支持部を設け、ブラケットの回動動作により各端具を使用位置と非使用位置とに切替可能とすると共に使用位置に位置する端具の端具支持部が支柱の端面に接当するようにブラケットを付勢する付勢部材を備え、ブラケットを回動させて使用位置の端具と非使用位置の端具とを入れ替える際に、前記付勢部材の付勢力によって端具が自動的に使用位置にセットされるように構成されていてもよい。
【０００５】
また、支柱の端部側に、該支柱の長手方向に直交する方向の軸心回りに回動自在で且つ支柱の長手方向に移動自在なブラケットを支持し、このブラケットに設けられた複数の端具支持部の各々に端具を取り付け、支柱とブラケットとの間に、使用位置に位置する端具の端具支持部が支柱の端面に接当するようにブラケットを付勢する付勢部材を設け、使用位置の端具の端具支持部が支柱の端面から離反するように付勢部材の付勢力に抗してブラケットを支柱長手方向に移動させ、さらにブラケットを回動させることにより、使用位置の端具と非使用位置の端具とが入れ替わるように構成されていてもよい。
【０００６】
また、前記ブラケットに、支柱に設けられた被係合部に係脱自在に係合して各端具を使用位置に位置決めする係合部を設け、この係合部が被係合部に対して係脱する方向とブラケットの移動方向とを一致させて、前記付勢部材によって係合部が被係合部に係合する方向に付勢されるように構成されているのがよい。
また、ブラケットは、支柱の外面に配置されていて該支柱に回動自在で且つ支柱長手方向移動自在に支持される取付壁を備え、前記係合部はこの取付壁の縁部に形成された溝から構成されていてもよい。
【０００７】
また、ブラケットの各端具支持部に係合部を設け、使用位置に位置する端具の端具支持部の係合部を支柱の端部側に内嵌させることにより、ブラケットの回動を規制するように構成されていてもよい。
また、１の端具に対して、他の端具の材質、色、形状又は接地面積を異ならせるようにしてもよい。
【発明の効果】
【０００８】
本発明によれば、例えば、１つの端具を屋外用として使用し、屋内で脚立、はしご等を使用する場合は、他の端具を使用位置に切り替えて使用することにより、屋外で使用していた脚立等を端具の汚れを落とさなくても屋内で使用することができ、脚立等を複数の使用態様で使用する場合に、それぞれの使用態様に応じた端具に切り替えて使用することができる。
【発明を実施するための最良の形態】
【０００９】
以下、本発明の実施の形態を図面を参照して説明する。
図１〜図６は第１の実施の形態を示しており、図２において、１は脚立であり、該脚立１は前後一対の梯子体２を備えている。
前後各梯子体２は、左右方向で対向位置された左右一対の支柱３を備えると共に、これら左右支柱３に架け渡された踏み桟４を該支柱３の長手方向に間隔をおいて設けてなり、左右の支柱３間の間隔は下方に行くに従って漸次広くなるように形成されている。
各支柱３の上端側の左右方向外側面には連結部材５が取付固定され、左右同じ側にある支柱３の連結部材５同志が枢軸６を介して左右方向の軸心回りに回動自在に枢支連結されており、図２（ａ）に示すように前後の梯子体２の間隔が下方に行くに従って漸次広くなる開脚姿勢と、前後の梯子体２を近接させた折畳み姿勢とに姿勢変更自在とされている。
【００１０】
７は、脚立１を開脚姿勢に保持する開き止め金具であり、中途部で折れ曲がることにより、脚立１を折畳み姿勢にすることができるようになっている。
なお、脚立１は左右同じ側にある支柱３が直線状となる梯子姿勢に姿勢変更可能であってもよい。
左右各支柱３は、側壁３ａと、この側壁３ａの前後の端縁から左右方向内方側に延出された前後壁３ｂ，３ｃとを有する断面略コ字形に形成されており、左右方向内方側の側面及び上下端部が開放状とされている。
【００１１】
なお、前後壁３ｂ，３ｃには、前後方向（対向方向）内方側に延出するリブ３ｄが設けられている。
前記各支柱３の下端側には、複数の端具８を備えた端具装置９が設けられており、本実施の形態では、端具８は２つ設けられていて、一方の端具８を屋外用とし、他方の端具８を屋内用として使用可能とされている（なお、端具８は３つ以上備えていてもよい）。
端具装置９は、図１、図３〜図５に示すように、２つの端具８と、これら端具８を、１つの端具８が支柱３の端部に位置する使用位置にあるときに他の端具８が非使用位置に退避するように支柱３に切替自在に支持するブラケット１０と、各端具８を使用位置に位置決めする位置決め手段とを備えている。
【００１２】
各端具８は、ゴム、樹脂等によって形成され、支柱３の端部に設けられて、脚立１を開脚姿勢で立てたときに地面、床等に接地して支柱３の滑り止めを図るものであり、地面、床等に接当（接地）する接地面１２の反対側に凹部１３が形成されている。
ブラケット１０は、支柱３の側面の外面側に平行状として配置された取付壁１４と、この取付壁１４の縁部から左右方向内方側に延出した一対の端具支持壁１５（端具支持部）とを備えており、前記取付壁１４の中央側には、左右方向内方側に突出する筒状の支軸１７が形成されている。
【００１３】
このブラケット１０の支軸１７は、支柱３の側壁３ａに貫通状に形成された支持孔１８に軸心回りに回動自在に挿通されていて、ブラケット１０が支柱３の長手方向に直交する方向の軸心回りに回動自在とされている（ブラケット１０が支柱３の側壁３ａに直交する方向（側壁３ａの厚さ方向）の軸心回りに回動自在とされている）。
また、前記支持孔１８は、支柱３の長手方向に長い長孔状に形成されていて支軸１７が支持孔１８内を長手方向に移動自在とされ、該支持孔１８の長手方向の範囲内でブラケット１０が支柱３の長手方向に移動自在とされている。
【００１４】
一方、支柱３の下端側には、上下一対のバネ掛け部材１９，２０が支柱３内に収納状として設けられており、この各バネ掛け部材１９，２０は、大径部２１と小径部２２とを有する段付きボルトから構成され、小径部２２にネジ２３が形成されている。
下側のバネ掛け部材２０は、その小径部２２がブラケット１０の支軸１７に左右方向内方側から挿通されていると共に、小径部２２のネジ２３に側壁３ａ外面側からナット２４を螺合させることにより、該下側のバネ掛け部材２０がブラケット１０に取り付けられていて、該下側のバネ掛け部材２０がブラケット１０と一体移動可能とされている。
【００１５】
また、支柱３の側壁３ａの、支持孔１８の支柱長手方向上方位置には、挿通孔２６が貫通状に形成され、この挿通孔２６に上側のバネ掛け部材１９の小径部２２が左右方向内方側から挿通されると共に、該小径部２２のネジ２３に側壁３ａ外面側からナット２５を螺合させることにより、該上側のバネ掛け部材１９が支柱３に取付固定されている。
なお、この上下のバネ掛け部材１９，２０はピンによって構成されていてもよい。
また、上側のバネ掛け部材１９の大径部２１には引張コイルバネからなる付勢部材２７の一端側が掛止され、この付勢部材２７の他端側は下側のバネ掛け部材２０の大径部２１に掛止されており、この付勢部材２７によってブラケット１０が引き上げられる方向に付勢されており、支軸１７が支持孔１８の上端側に接当することによりブラケット１０の上方移動が規制される。
【００１６】
前記ブラケット１０の各端具支持壁１５には端具８の凹部１３が嵌合されていると共に、該端具８はリベット２８によって端具支持壁１５に取付固定されている。
端具８及び端具支持壁１５には、リベット２８を挿通させるための挿通孔２９，３８が形成され、端具支持壁１５には、該端具支持壁１５自体を接地面１２に向けて凹ませることにより、リベット２８のカシメ部２８ａを端具支持壁１５の支柱接当面３０から没入させるための溝部３１が形成されている。
また、２つの端具８は、一方の端具８が支柱３の下端に位置する使用位置にあるときには、他方の端具８が支柱３の前壁３ｂ前方又は後壁３ｃ後方の非使用位置にあり、この非使用位置では、端具８が支柱３の前壁３ｂ又は後壁３ｃに沿うように位置する。
【００１７】
また、端具支持壁１５の支柱接当面３０は、該端具支持壁１５に支持された端具８が使用位置にあるときに、支柱３の下端と対向状とされると共に、付勢部材２７の付勢力によってブラケット１０が引き上げられることにより支柱３の下端に押しつけられて該支柱３下端と面接当し、これにより、端具８が使用位置に安定するようになっている。
また、該端具支持壁１５は端具８の凹部１３内に没入状とされていて、使用位置にある端具８の凹部１３内に支柱３の下端側が挿入状とされ、支柱３の下端側のエッジ部が露出しないように構成されている。
【００１８】
また、前記ブラケット１０の外周縁部には、円弧状溝からなる一対の係合部３３が形成され、一方の係合部３３は一方の端具８が使用位置に位置するときに上側のバネ受け部材１９のネジ２３に螺合するナット２５に嵌合（係合）し、他方の係合部３３は他方の端具８が使用位置に位置するときに上側のバネ受け部材１９のネジ２３に螺合するナット２５に嵌合（係合）して、ブラケット１０の支軸１７軸心回りの回動を規制して該ブラケット１０及び端具（８）を位置決め（ロック）する。
これによって、脚立１使用時にブラケット１０及び端具８がずれ動くことがないという効果を奏する。
【００１９】
本実施の形態では、上側のバネ受け部材１９のネジ２３に螺合するナット２５が被係合部とされている。
前記係合部３３、被係合部２５、付勢部材２７等によって端具８を使用位置に位置決めする位置決め手段が構成されている。
また、係合部３３は、下方側から被係合部２５に係脱自在に係合するように構成され、前記付勢部材２７の付勢力によって係合部３３が被係合部２５に係合する方向にブラケット１０が付勢されており、ブラケット１０を下方移動させることにより、係合部３３が被係合部２５から離脱する。
【００２０】
なお、被係合部が凹部で構成され、係合部が該凹部に嵌る形状のものであってもよい。
また、ブラケット１０の縁部の係合部３３間は、支軸１７の軸心を中心とする円弧状に形成されている。
前記構成の端具装置９において端具８を切り替えるには、一方の端具８が使用位置にある状態から、図６（ａ）に示すように、ブラケット１０を付勢部材２７の付勢力に抗して引き下げることにより、端具支持壁１５の支柱接当面３０を支柱３の下端から離反させると共に該支柱３の下端を端具８の凹部１３から抜脱し且つ係合部３３を被係合部２５から離脱させる。
【００２１】
次に、この状態を維持したまま、図６（ｂ），（ｃ）に示すように、他方の端具８が支柱３の下端下方（使用位置の下方）に位置するようにブラケット１０を支軸１７回りに回動させる。
次に、ブラケット１０の引き下げ力を解除して、図６（ｄ）に示すように、端具支持壁１５の支柱接当面３０を支柱３の下端に接当させると共に該支柱３の下端を端具８の凹部１３に挿入し且つ係合部３３を被係合部２５に係合させる。
以上のようにして、ブラケット１０の回動動作によって、１つの端具８が支柱３の端部に位置する使用位置にあるときに、他の端具８が非使用位置に退避するように端具８が使用位置と非使用位置とに切替可能とされ（使用位置にある端具８と非使用位置にある端具８とが入れ替わるように切替自在とされ）、端具８の切り替えは、ブラケット１０を、引っ張ったまま回動させ、また元の位置に戻すことにより簡単に行える。
【００２２】
また、本実施の形態では、一方の端具支持壁１５及び係合部３３は、他方の端具支持壁１５及び係合部３３に対して支軸１７の軸心を中心として９０°回動した位置に形成され、ブラケット１０を９０°回動させることにより端具８が使用位置と非使用位置とに切り替えられるようになっている。
なお、前記端具８は同じ材質のもので形成されていてもよいが、例えば、屋外用は比較的固い材質の材料で形成し、屋内用は床面等を傷つけないよう比較的柔らかい材質の材料で形成するようにしてもよい。
【００２３】
また、屋外用と屋内用とで色の異なる端具８を設けることにより、識別が容易となる。
また、端具８の形状や接地面積を異ならせるようにしてもよい。
図７〜図１０は、第２の実施の形態を示し、前記第１の実施の形態と異なる点について説明する。
一対の端具８のうち一方の端具８は、ボールジョイント３６を介してブラケット１０の端具支持壁１５に取り付けられていて支柱３に対して傾動自在とされている。
また、ブラケット１０の端具支持壁１５の支柱接当面３０側に支柱３の下端側３ｅに内嵌してブラケット１０の支軸１７回りの回動を規制して端具８を使用位置に位置決めする係合部３３が設けられており、この第２の実施の形態では、端具支持壁１５の支柱接当面３０側に突設された前記係合部３３と、支柱３の下端側３ｅと、付勢部材２７等とで位置決め手段が構成され、支柱３の下端側３ｅが位置決め手段の被係合部とされている。
【００２４】
前記係合部３３は、端具支持壁１５自体を支柱接当面３０から突出するように湾曲形成してなる凸条部３４によって形成されており、端具８の使用位置において、支柱３の前壁３ｂ内面に位置する前凸条部３４と、支柱３の後壁３ｃ内面に位置する後凸条部３４と、支柱３の側壁３ａ内面に位置する外側の側部凸条部３４と、リブ３ｄの内面に位置する内側の側部凸条部３４とから構成され、これら前後凸条部３４と各側部凸条部３４とは連続状に形成されていて、係合部３３が支柱３の内側形状に対応する矩形状に形成されている。
【００２５】
この実施の形態にあっても、図１０（ａ）〜（ｄ）に示すように、前記第１の実施の形態と同じ要領で、端具８が使用位置と非使用位置とに切り替えられる。
図１１及び図１２は第３の実施の形態を示し、位置決め手段の係合部３３が、支柱３の前壁３ｂ内面及び後壁３ｃ内面に位置するように支柱３内に挿入される一対の係合爪３５によって構成されており、この実施の形態にあっても、前記第２の実施の形態と同様、支柱３の下端側３ｅが位置決め手段の被係合部とされている。
また、この実施の形態にあっては、ブラケット１０に支軸１７は設けられていなく、下側のバネ掛け部材２０の大径部２１が支柱３の側壁３ａの支持孔１８に軸心回りに回動自在で且つ支持孔１８の長手方向に移動自在に挿通され、該バネ掛け部材２０の小径部２２がブラケット１０の中央側に形成された貫通孔１６に挿通されると共に小径部２２のネジ２３にナット２４が螺合されてブラケット１０にバネ掛け部材２０が取り付けられている。
【００２６】
したがって、この実施の形態では、下側のバネ掛け部材２０がブラケット１０を回動自在で支柱３の長手方向に移動自在に支持する支軸とされている。
また、端具支持部１５は一対の壁部１５ａによって構成されており、各壁部１５ａに係合爪３５が設けられている。
この第３の実施の形態では、係合部３３が一対の係合爪３５によって構成されており、また、係合爪３５はブラケット１０の左右方向内方側に位置していて視認しにくいので、支柱３の下端側３ｅに対して正確に位置合わせしないと、係合爪３５が支柱３の下端側３ｅに入りにくい。
【００２７】
これに対して、第２の実施の形態にあっても係合部３３は視認しにくいが、該第２の実施の形態にあっては、前後凸条部３４が各側部凸条部３４によって連結されているので、一方の係合部３３を支柱３下端から抜脱させてブラケット１０を回動し、他方の係合部３３を支柱３下端側のおおよその位置でブラケット１０に対する引下げ力を解除したときに、係合部３３が被係合部３ｅにはまっていなくても、側部凸条部３４に支柱３の端部が接当するので、引っ掛かりがなく、また、正確に位置合わせしなくても、ブラケット１０を支軸１７回りに揺動させれば、係合部３３と支柱３下面が対向状として合った位置で付勢部材２７の付勢力によって係合部３３が支柱３下端に自動的に嵌合する（ブラケット１０を回動させて使用位置の端具８と非使用位置の端具８とを入れ替える際に、前記付勢部材２７の付勢力によって端具８が自動的に使用位置にセットされる）。
【００２８】
また、第１の実施の形態では、係合部３３及び被係合部２５は、支柱３の側壁３ａ外面側にあって視認しやすいので、位置合わせしやすく、さらに、前記第２の実施の形態と同様、正確に位置合わせしなくても、おおよその位置でブラケット１０に対する引下げ力を解除して、係合部３３が被係合部２５に嵌まっていなくても、ブラケット１０を支軸１７回りに揺動させれば、係合部３３と被係合部２５が合った位置で付勢部材２７の付勢力によって係合部３３が被係合部２５に自動的に嵌合する（ブラケット１０を回動させて使用位置の端具８と非使用位置の端具８とを入れ替える際に、前記付勢部材２７の付勢力によって端具８が自動的に使用位置にセットされる）。
【００２９】
なお、前記端具装置９は、図例以外の脚立１や、はしごや踏み台に採用されてもよいし、作業足場板の前後両側に、それぞれ梯子体２を回動自在に連結してなる作業台、足場脚立に採用してもよい。
また、一方の端具又は両方の端具をキャスター輪等の車輪によって構成された端具としてもよく、この場合、車輪の回転を止めるロック手段を備えるのが好ましい。
また、前記第１〜３の実施の形態において、車輪からなる端具を追加して、屋外用と、屋内用と、移動用とに使い分けるようにしてもよい。
【図面の簡単な説明】
【００３０】
【図１】第１の実施の形態に係る端具装置を支柱の内側から見た側面図である。
【図２】（ａ）は脚立の側面図、（ｂ）は脚立の正面図である。
【図３】図２のＡ部の拡大図である。
【図４】図３のＢ−Ｂ線矢示断面図である。
【図５】第１の実施の形態に係るブラケットの側面図、正面図及び底面図である。
【図６】第１の実施の形態に係る端具装置の切替え動作を示す側面図である。
【図７】第２の実施の形態に係る端具装置を支柱の内側から見た側面図である。
【図８】端具装置の断面図である。
【図９】第２の実施の形態に係るブラケットの側面図、正面図、平面断面図及び係合部の側面図である。
【図１０】第２の実施の形態に係る端具装置の切替え動作を示す側面図である。
【図１１】第３の実施の形態に係る端具装置の断面図及び側面図である。
【図１２】第３の実施の形態に係る端具装置の切替え動作を示す側面図である。
【符号の説明】
【００３１】
１    脚立
３    支柱
３ｅ  被係合部
８    端具
１０    ブラケット
１４    取付壁
１５    端具支持具（端具支持壁）
２５    被係合部
２７    付勢部材
３３    係合部
【図１】
2006028933.tif 000003
【図２】
2006028933.tif 000004
【図３】
2006028933.tif 000005
【図４】
2006028933.tif 000006
【図５】
2006028933.tif 000007
【図６】
2006028933.tif 000008
【図７】
2006028933.tif 000009
【図８】
2006028933.tif 000010
【図９】
2006028933.tif 000011
【図１０】
2006028933.tif 000012
【図１１】
2006028933.tif 000013
【図１２】
2006028933.tif 000014